(57)【要約】【課題】  再生されている位置より、さかのぼった位置に再生位置をジャンプさせるリピート再生を行う際、時間表示を見るという作業と、目的の再生位置までジャンプさせる為に、早戻りまたは早送りボタンを複数回押して調整する作業が発生し、利便性が悪かった。【解決手段】  本発明は、REVボタンの操作回数でさかのぼる時間を決定するバック量設定手段と、バック設定手段によって設定された位置がショックプルーフメモリ５に存在するかを確認するバック可能検出手段と、前期バック可能検出手段によってショックプルーフメモリ５にデータが存在すると判断されたとき、さかのぼった位置から再生を開始する再生開始手段と、を有するシステムコントローラを備えることを特徴とする。【選択図】図１
2006018947.tif 000002
【特許請求の範囲】
【請求項１】
ディスクのデータを読み取るディスク読取部と、
前記ディスク読取部が読み出したデータをバッファするショックプルーフメモリと、
前記ショックプルーフメモリからデータを読み出して音声の再生を行う再生部と、
再生位置をそのとき再生している位置からさかのぼった位置にジャンプさせるＲＥＶボタンと、
前記ＲＥＶボタンの操作時間を検出し、一定時間以上操作が継続したとき長押しと判定する操作時間検出手段と、
操作時間検出手段によってＲＥＶボタンが長押しされたと判定されたとき、予め定められた単位時間をジャンプ時間として設定し、このジャンプ時間だけ再生位置をさかのぼらせるバック量設定手段と、
を備えたデジタルオーディオ再生装置。
【請求項２】
前記単位時間は、可変に設定可能であることを特徴とする請求項１に記載のデジタルオーディオ再生装置。
【請求項３】
前記バック量設定手段は、前記ＲＥＶボタンを長押しする時間に応じて、前記ジャンプ時間に前記単位時間を順次加算し、前記単位時間の整数倍に設定することを特徴とする請求項１または請求項２に記載のデジタルオーディオ再生装置。
【請求項４】
前記バック量設定手段は、前記ジャンプ時間に単位時間を加算するごとにお知らせ音を発生することを特徴とする請求項3に記載のデジタルオーディオ再生装置。
【発明の詳細な説明】
【技術分野】
【０００１】
本発明は、ミニ・ディスク装置（以下、ＭＤ装置という）等で使用されるリピート再生機能を有するデジタルオーディオ再生装置に関する。
【背景技術】
【０００２】
デジタルオーディオ再生装置を使用する場合、ユーザは音楽をずっと連続して聞いたり、曲ごとに繰り返し聞いたり、あるい語学リスニング練習や楽器練習で、ある時間間隔を繰り返して聴いたりする。前記のようにある時間間隔を繰り返して聴く際、従来では、本体やリモコンの時間表示を見ながら、早戻りボタンを長押しを続け、目的の時間表示になったら、長押しをやめて再生をしていた。
【０００３】
しかしながら、ユーザが繰り返し聴くこととは別に、時間表示を見るという作業と、目的の再生開始箇所から再生させる為に、早戻りまたは早送りボタンを複数回押して調整する作業が必要であり、ユーザが繰り返し聴くことに集中できず、利便性が悪かった。また、早戻りおよび早送りボタンを複数回押すことで、内部の回路がその都度動作し、消費電力が多くなり、特にポータブル機器では電池の消耗時間が早くなるという問題があった。
【特許文献１】特開平７−１７６１７５
【発明の開示】
【発明が解決しようとする課題】
【０００４】
この発明は、早戻りまたは早送りボタンを一回の操作で、かつ時間表示を見ずに簡略な操作で繰り返し聴くことが可能である電子機器を提供することを目的とする。
【課題を解決するための手段】
【０００５】
本発明は以下の構成を備えている。
【０００６】
（１）ディスクのデータを読み取るディスク読取部と、前記ディスク読取部が読み出したデータをバッファするショックプルーフメモリと、前記ショックプルーフメモリからデータを読み出して音声の再生を行う再生部と、再生位置をそのとき再生している位置からさかのぼった位置にジャンプさせるＲＥＶボタンと、
前記ＲＥＶボタンの操作時間を検出し、一定時間以上操作が継続したとき長押しと判定する操作時間検出手段と、操作時間検出手段によってＲＥＶボタンが長押しされたと判定されたとき、予め定められた単位時間をジャンプ時間として設定し、このジャンプ時間だけ再生位置をさかのぼらせるバック量設定手段と、を備えたことを特徴とする。
【０００７】
この発明では、ユーザがＲＥＶボタンを一定時間以上押し続けると、長押しと判断され、予め設定された単位時間だけ再生位置をさかのぼらせる。このことにより、ユーザは、時間表示を見ずに簡略な操作で予め定められた単位時間戻った時点から再生音を聞くことができる。
【０００８】
（２）前記単位時間は、可変に設定可能であることを特徴とする。
【０００９】
この発明では、ユーザによる操作で単位時間を変更することができる。例えば、語学、会議録音、音楽などの内容に応じて、それに適したジャンプ時間を設定することができる。
【００１０】
（３）前記バック量設定手段は、前記ＲＥＶボタンを長押しする時間に応じて、前記ジャンプ時間に前記単位時間を順次加算し、前記単位時間の整数倍に設定することを特徴とする。
【００１１】
例えば、ユーザが、所定の時間長押しすれば、予め設定された単位時間戻った時点から再生音を聞くことができ、さらに、所定の時間長押しすれば、単位時間の２倍戻った時間から再生音を聴くことができる。つまり、長押し時間を長くすることで、単位時間の整数倍の早戻り可能となる。
【００１２】
（４）前記バック量設定手段は、前記ジャンプ時間に単位時間を加算するごとにお知らせ音を発生することを特徴とする。
【００１３】
例えば、ユーザが、所定の時間長押しすれば、ピィというお知らせ音がなり、さらに所定の時間長押しすれば、ピィというお知らせ音がなり単位時間の２倍戻った時間から再生音を聴くことができる。このことにより、時間表示を見ずに、お知らせ音の回数により、単位時間の整数倍の早戻りが可能となる。
【発明の効果】
【００１４】
本発明によれば、リモコン表示情報を見る続けることなく、１回のボタン操作で所望の位置からリピート再生が可能であり、本来のユーザの目的である繰り返し聴くことに集中でき、大きな操作性の向上を実現する。また、何度も１回のボタン操作で操作することと、リピート再生するデータがショップフルメモリ内にある時には、そのデータを使用することで、ポータブル機器にとって大きなメリットである低消費電力化も実現する。
【発明を実施するための最良の形態】
【００１５】
本発明に係る実施の形態について図を用いて説明する。まず、デジタルオーディオ再生装置の構成を図１を用いて説明する。図１にデジタルオーディオ再生装置の構成を示す。
【００１６】
本発明に係るデジタルオーディオ再生装置２０は、記録媒体に記録された圧縮された後変調された音声データを再生する録再用の装置である。
【００１７】
前記デジタルオーディオ再生装置２０は、ディスク読取部１７と、ショックプルーフメモリ５と、再生部１８と、システムコントローラ１２と、入力装置１４と、リモコン１５と、ヘッドホン１６と、から構成されている。
【００１８】
ディスク読取部１７は、光ピックアップ１と、ＲＦアンプ２と、エンコーダ／デコーダ回路３と、サーボ回路１１と、送りモータ８と、スピンドルモータ９と、ドライブ回路１０と、を有している。光ピックアップ１は、ディスク１３に光を照射して、ディスク１３からの反射光を読み込むヘッドである。ＲＦアンプ２は、光ピックアップ１により読み取られたＲＦ信号を増幅する。エンコーダ／デコーダ回路３は、サブコード処理等を行うために設けられているとともに、ＲＦアンプ２を経たＲＦ信号を復調して圧縮データに変換して、その圧縮データに誤り訂正等の処理を施す。送りモータ８は、光ピックアップ１をディスク１３のトラックに直交する方向へ移動させるためのモータである。スピンドルモータ９は、ディスク１３を回転させるためのモータである。ドライブ回路１０は、前記送りモータ８と、前記スピンドルモータ９および前記光ピックアップ１の対物レンズ１ａを駆動する駆動装置を動作させるために、これらに電力を供給する回路である。サーボ回路１１は、光ピックアップ１から出射される光をディスク１３の目標のトラックに追従させるなどの動作が正確に行われるように、ドライブ回路１０により駆動される各装置をフィードバック制御する回路である。前記サーボ回路１１は、システムコントローラ１２の指示にしたがって制御量を決定し、前記制御量を制御信号としてドライブ回路１０に送信するようになっている。
【００１９】
ショックプルーフメモリ５は、エンコーダ／デコーダ回路３から出力された圧縮データを一時的に保持する半導体メモリであり、例えば４ＭビットＤＲＡＭが適当である。前記ショックプルーフメモリ５は、エンコーダ／デコーダ回路３から出力される圧縮データの転送速度と、データ圧縮／伸長回路６に入力される圧縮データの転送速度との差を吸収する。また、振動等の外乱による再生の中断を防止するために音声信号出力を保護する。
【００２０】
再生部１８は、メモリコントローラ４と、データ圧縮／伸長回路６と、ＡＤ／ＤＡコンバータ７と、を有している。メモリコントローラ４は、エンコーダ／デコーダ回路３を経た圧縮データをショックプルーフメモリ５に保持させるように、システムコントローラ１２の指示にしたがってショックプルーフメモリ５の書き込み動作および読み取り動作を制御するようになっている。このメモリコントローラ４は、エンコーダ／デコーダ回路３から出力された圧縮データをショックプルーフメモリ５に転送するとともに、ショックプルーフメモリ５から出力された圧縮データをデータ圧縮／伸長回路６に転送する。データ圧縮／伸長回路６は、圧縮された音声データの圧縮を解いて、圧縮データを元の大きさに伸長する回路である。ＡＤ／ＤＡコンバータは、前記データ圧縮／伸長回路６から出力されたオーディオデータをアナログに変換する。
【００２１】
システムコントローラ１２は、エンコーダ／デコーダ回路３と、メモリコントローラ４と、サーボ回路１１と、を集中管理するマイクロコンピュータである。
【００２２】
リモコン１５は、アナログ信号をヘッドホン１６に送る。また、Ｖｏｌ＋ボタン、Ｖｏｌ−ボタン、Ｐｌａｙボタン、ＲＥＶボタン、ＣＵＥボタン、Ｓｔｏｐボタン、Ｍｅｎｕボタンの各種ボタンと、再生時間表示等のデジタルオーディオ装置の状態を表示するＬＣＤを備えている。
【００２３】
システムコントローラ１２は、ボタン操作に応じて、サーボ回路１１、エンコーダ／デコーダ回路３、メモリコントローラ４を制御し、再生、早戻し、早送り、再生ストップ等の動作を実現する。
【００２４】
ヘッドホン１６は音の出力を行う。
【００２５】
以下に再生時の信号の流れを説明する。なお、録音時は逆の流れとなる。
【００２６】
光ピックアップ１が、記録媒体であるディスク１３に光を照射し、前記ディスク１３からの反射光を取り込む。前記光ピックアップ１はディスク１３に記録されたＲＦ信号を毎秒１．４Ｍビットの速度で読み取る。
【００２７】
光ピックアップ１により読み取られたＲＦ信号は、ＲＦアンプ２により増幅される。
【００２８】
ＲＦアンプ２を経た前記増幅された信号は、エンコーダ／デコーダ回路３により、復調して圧縮データに変換され、訂正等の処理が施される。
【００２９】
エンコーダ／デコーダ回路３を経た圧縮データは、メモリコントローラ４により、ショックプルーフメモリ５に転送され、前記ショックプルーフメモリ５に保持される。このとき、システムコントローラ１２の指示にしたがってメモリコントローラ４が、ショックプルーフメモリ５の書き込み動作および読み取り動作を制御する。
【００３０】
ショックプルーフメモリ５から出力された圧縮データは、メモリコントローラ４によりデータ圧縮／伸長回路６に転送される。
【００３１】
前記データ圧縮／伸長回路６に転送された圧縮データは、元の大きさに伸長される。このとき、毎秒０．３Ｍビットの速度でデータ伸長処理が行われ、１ビットのオーディオデータを出力する。
【００３２】
なお、前記圧縮データはＡＴＲＡＣ（Ａｄａｐｔｉｖｅ  Ｔｒａｎｓｆｏｒｍ  Ａｃｏｕｓｔｉｃ  Ｃｏｄｉｎｇ）方式により圧縮されたオーディオデータである。
【００３３】
前記伸長されたデータは、ＡＤ／ＤＡコンバータ７により、アナログ信号に変換され、リモコン１５が前記アナログ信号をヘッドホン１６に送り、音出力する。
【００３４】
次に、図２を用いてユーザがリピート再生を行う際の操作を説明する。図２は再生時のユーザ操作を示す図である。
【００３５】
ユーザが予め現在Ｐから、目的位置Ｑ１までの時間であるＱを単位時間に設定する。Ｐの位置を再生しているときに、ＲＥＶボタンを長押しすると、システムコントローラ１２が長押しを検出し、長押しされたと判定する。なお、長押しとは、一定時間以上ボタンを押し続ける動作をいい、例えば一定時間が２秒である場合、ユーザにより、２秒以上ＲＥＶボタンが押し続けられると、コントローラ１２は長押しされたと判定する。システムコントローラ１２が、長押しを判定すると、ピィというお知らせ音を発生する。このとき、ユーザが、長押しをやめると、システムコントローラ１２は、再生位置を単位時間Ｑだけ逆向きにジャンプさせる。すなわち目的位置Ｑ１に再生位置を早戻りさせる。
【００３６】
一方、ピィというお知らせ音が鳴ったときに、ユーザが、さらにＲＥＶボタンの長押しを続けると、再びピィというお知らせ音が鳴る。そこで、ユーザが、ＲＥＶボタンの長押しをやめると、再生位置を単位時間Ｑの二倍の位置すなわちＱ２の位置に早戻りさせる。さらに長押しをつづけ、お知らせ音が３回、４回、・・・と鳴ると、単位時間Ｑのその鳴った回数倍だけ再生位置がさかのぼる。
【００３７】
図３は前記システムコントローラの動作を示すフロー図を示している。
【００３８】
まず、通常再生が行われる前に、早戻り設定モードで、ユーザにより早戻り時間Ｑが設定される。ユーザにより、リモコンのＭＥＮＵスイッチが長押しされると、システムコントローラ１２がその命令を認識し、早戻り設定モードにＩＮする（Ｓ１）。ユーザにより、Ｖｏｌ＋ボタンとＶｏｌ−ボタンが複数回押され、時間がアップダウンされ、所定の時間が設定される（Ｓ２）。ユーザにより、ＭＥＮＵボタンが長押しされると、システムコントローラ１２がその早戻りの時間の最新の時間を単位時間Ｑとして保持し、早戻り設定モードからＯＵＴする（Ｓ３）。
【００３９】
なお、異なる種類のＭＤによっては、１フレーズの時間も異なり、その都度ユーザが自由に設定が可能である。
【００４０】
次に、ユーザにより、ＭＤが通常再生されているときに（Ｓ４）、再生されている位置より、さかのぼった位置に再生位置をジャンプさせられる場合は、ユーザにより、リモコン１５のＲＥＶボタンが長押しされる。システムコントローラ１２はそれを検出し、長押しがなされたことを判定する。この判定がなされると、ヘッドホン１６からピィというお知らせ音を出力する（Ｓ５）。このとき、ユーザによりＲＥＶボタンの長押しがやめられると、システムコントローラ１２が、ユーザにより通常再生前に設定された所定の時間を検出する（Ｓ６）。その後、システムコントローラ１２が、設定時間のデータがショックプルーフメモリ５に格納されているかを検出する（Ｓ７）。ショックプルーフメモリ５にデータが格納されていない場合は、システムコントローラ１２が、サーボ回路１１への制御スタート信号が出力し、ドライブ回路１０、送りモータ８、スピンドルモータ９が動作する。すなわち、光ピックアップ１が、ディスク１３から信号を読み取り、エンコーダ／デコーダ回路３にて信号処理を行い、ＡＤ／ＤＡコンバータ７を信号が経由して、ヘッドホン７から音が出力され、通常再生が行われる（Ｓ８）。
【００４１】
ショックプルーフメモリ５にデータが格納されている場合には、データ圧縮／伸長回路６が、ショックプルーフメモリ５内のデータを、伸長動作を行。この伸長されたデータを、ＡＤ／ＤＡコンバータ７が、アナログ信号に変換し、リモコン１５を経て、ヘッドホン１６から音が出力される。すなわち、システムコントローラ１２から、サーボ回路１１への制御スタート信号が出力されず、ドライブ回路１０、送りもーた８、スピンドルモータ９も動作せずに通常再生を行う（Ｓ９）。このときサーボ回路１１は全く動作しないため、消費電力を減少させる。
【００４２】
同じフレーズが繰り返される場合には、フレーズが終了した際に、ユーザにより、リモコン１５のＲＥＶボタンがもう一度長押しされれば、もう一度再生位置が戻り、同じことが繰り返されれば、複数回の繰り返し再生位置を戻すことが可能である。
【００４３】
また、早戻り設定時間Ｑの整数倍、例えば２Ｑ前から再生する場合には、ユーザにより、リモコン１５のＲＥＶボタンが長押しされ、１回目のお知らせ音が聞こえても、長押しが続けられ、２回目が聞こえたら、長押しが止められると、システムコントローラ１２は、通常再生前に設定した早戻り設定時間Ｑの２倍の２Ｑを検出する。ＲＥＶボタンの長押しの時間がさらに長くされると、時間確認音の回数により、３Ｔ，４Ｔ、とＴの整数倍のデータの繰り返し再生が可能となる。
【図面の簡単な説明】
【００４４】
【図１】ディジタルオーディオの構成を示す図
【図２】再生時のユーザ操作を示す図
【図３】本発明の実施の形態に係るフロー図
【符号の説明】
【００４５】
１−光ピックアップ
１ａ−対物レンズ
２−ＲＦアンプ
３−エンコーダ／デコーダ回路
４−メモリコントローラ
５−ショックプルーフメモリ
６−データ圧縮／伸長回路
７−ＡＤ／ＤＡコンバータ
８−送りモータ
９−スピンダルモータ
１０−ドライブ回路
１１−サーボ回路
１２−システムコントローラ
１３−ディスク
１４−入力回路
１５−リモコン
１６−ヘッドホン
１７−読取部
１８−再生部
【図１】
2006018947.tif 000003
【図２】
2006018947.tif 000004
【図３】
2006018947.tif 000005